(57)【要約】【課題】主ロープの自重によって主ロープを昇降路内に落下させることなく、主ロープの交換作業を円滑に行わせるエレベーターの主ロープ交換用テンション付加装置の提供を目的とする。【解決手段】上記目的は、既設主ロープ回収用巻き取り手段に回収される既設主ロープを既設主ロープ用ドラムに巻回させる方向と新主ロープ供給ドラム体から供給される新主ロープを新主ロープ用ドラムに巻回させる方向とが同一方向となるように、既設主ロープを既設主ロープ用ドラムに、かつ、新主ロープを新主ロープ用ドラムに、それぞれ巻回させてなるエレベーターの主ロープ交換用テンション付加装置において、既設主ロープ用ドラム２５、２５Ａ、２５Ｂ及び新主ロープ用ドラム２６、２６Ａ、２６Ｂを制動させる制動手段２７とを設けたことで、達成できる。【選択図】図２
2005263476.tif 000002
【特許請求の範囲】
【請求項１】
巻上機のシーブに巻回されてその両端が昇降路の頂部に支持固定される複数本の既設主ロープと、この既設主ロープの一端と巻上機のシーブとの間で既設主ロープに乗りかご用プーリを係合させて支持される乗りかごと、既設主ロープの他端と巻上機のシーブとの間で既設主ロープにカウンタプーリを係合させて支持されるカウンタウェートとを備え、乗りかごを昇降路の頂部近傍に、かつ、カウンタウェートを昇降路の底部近傍に、それぞれ仮保持した状態で、既設主ロープの両端近傍を切断し、その既設主ロープの乗りかご側切断端を既設主ロープ回収用巻き取り手段に連結すると共に、その既設主ロープのカウンタウェート側切断端を新主ロープ供給ドラム体に予め巻回してある新主ロープの一端に接続した後、巻上機を駆動して既設主ロープを前記既設主ロープ回収用巻き取り機に回収しながら新主ロープに交換するエレベーターの主ロープ交換方法に用いられものであって、同一軸上に設けた既設主ロープ用ドラムと新主ロープ用ドラムを有し、しかも、前記既設主ロープ回収用巻き取り手段に回収される既設主ロープを前記既設主ロープ用ドラムに巻回させる方向と新主ロープ供給ドラム体から供給される新主ロープを前記新主ロープ用ドラムに巻回させる方向とが同一方向となるように、前記既設主ロープを前記既設主ロープ用ドラムに、かつ、前記新主ロープを前記新主ロープ用ドラムに、それぞれ巻回させてなるエレベーターの主ロープ交換用テンション付加装置において、前記既設主ロープ用ドラム及び前記新主ロープ用ドラムを制動させるための制動手段を設けたことを特徴とするエレベーターの主ロープ交換用テンション付加装置。
【請求項２】
前記既設主ロープ用ドラム若しくは前記新主ロープ用ドラムの外周に位置して、前記既設主ロープ用ドラムに巻かれた既設主ロープを前記既設主ロープ用ドラム側に押し付けると共に、前記新主ロープ用ドラムに巻かれた新主ロープを前記新主ロープ用ドラム側に押し付ける押付手段を設けたことを特徴とする請求項１記載のエレベーターの主ロープ交換用テンション付加装置。
【発明の詳細な説明】
【技術分野】
【０００１】
本発明は、エレベーターの主ロープ交換用テンション付加装置に関するものである。
【背景技術】
【０００２】
従来、エレベーターの主ロープを交換する場合には、巻上機のシーブに巻回されてその両端が昇降路の頂部に支持固定される複数本の既設主ロープと、この既設主ロープの一端と巻上機のシーブとの間で既設主ロープに乗りかご用プーリを係合させて支持される乗りかごと、既設主ロープの他端と巻上機のシーブとの間で既設主ロープにカウンタプーリを係合させて支持されるカウンタウェートとを備え、乗りかごを昇降路の頂部近傍に、かつ、カウンタウェートを昇降路の底部近傍に、それぞれ仮保持した状態で、既設主ロープの両端近傍を切断し、その乗りかご側切断端を既設主ロープ回収用巻き取り機に連結すると共に、そのカウンタウェート側切断端に新主ロープ供給用巻き取り機に巻回された交換用の新しい主ロープ（以下、新主ロープと称する）の一端を接続した後、巻上機のシーブを回転させることで、既設主ロープを既設主ロープ回収用巻き取り機に回収しながら新主ロープに交換していくという主ロープ交換方法が採用されていた。
【０００３】
そして、この主ロープ交換方法においては、シーブの回転速度と既設主ロープ若しくは新主ロープの移動速度との間で速度差が生じてしまうことに起因してシーブや新主ロープが損傷するのを阻止するため、同一軸上に複数個の既設主ロープ用ドラム及び複数個の新主ロープ用ドラムを設けてなるテンション付加装置を乗りかご上に設置して、既設主ロープ用回収用巻き取り機に回収される既設主ロープがテンション付加装置の既設主ロープ用ドラムに巻回する方向と新ロープ供給用巻き取り機から供給される新主ロープがテンション付加装置の新主ロープ用ドラムに巻回する方向とが同一方向となるように、既設主ロープを既設主ロープ用ドラムに、かつ、新主ロープを新主ロープ用ドラムに、それぞれ巻回させることで、テンション付加装置に新ロープ供給用巻き取り機から供給される新主ロープとテンション付加装置から既設主ロープ用回収用巻き取り機に回収される既設主ロープとの間にテンションを掛けておくことにより、シーブの回転速度と既設主ロープ若しくは新主ロープの移動速度とに速度差が生じないようにしていた（例えば、特許文献１参照）。
【特許文献１】特開２００２−２６５１６４号公報（段落番号０００７〜０００９、図１）
【発明の開示】
【発明が解決しようとする課題】
【０００４】
しかしながら、上述した従来のテンション付加装置では、エレベーターの階床が多くなると、既設主ロープ及び新主ロープの長さが長くなるために、その既設主ロープ及び新主ロープの自重が増大することが起因して、テンション付加装置の既設主ロープ用ドラムを介して既設主ロープ回収用巻き取り手段に回収される既設主ロープと新主ロープ供給ドラム体からテンション付加装置の新主ロープ用ドラムを介して昇降路側に供給される新主ロープとの間でテンションのバランスがくずれ、新主ロープが昇降路内に落下して垂れ下がってしまう状態が発生するという問題点がある。
【０００５】
本発明の目的は、上述の問題点にかんがみ、主ロープの自重によって主ロープを昇降路内に落下させることなく、主ロープ交換作業を、円滑に行わせることを可能にするエレベーターの主ロープ交換用テンション付加装置を提供することにある。
【課題を解決するための手段】
【０００６】
上記の目的を達成するために、本発明は、巻上機のシーブに巻回されてその両端が昇降路の頂部に支持固定される複数本の既設主ロープと、この既設主ロープの一端と巻上機のシーブとの間で既設主ロープに乗りかご用プーリを係合させて支持される乗りかごと、既設主ロープの他端と巻上機のシーブとの間で既設主ロープにカウンタプーリを係合させて支持されるカウンタウェートとを備え、乗りかごを昇降路の頂部近傍に、かつ、カウンタウェートを昇降路の底部近傍に、それぞれ仮保持した状態で、既設主ロープの両端近傍を切断し、その既設主ロープの乗りかご側切断端を既設主ロープ回収用巻き取り手段に連結すると共に、その既設主ロープのカウンタウェート側切断端を新主ロープ供給ドラム体に予め巻回してある新主ロープの一端に接続した後、巻上機を駆動して既設主ロープを前記既設主ロープ回収用巻き取り機に回収しながら新主ロープに交換するエレベーターの主ロープ交換方法に用いられものであって、同一軸上に設けた既設主ロープ用ドラムと新主ロープ用ドラムを有し、しかも、前記既設主ロープ回収用巻き取り手段に回収される既設主ロープを前記既設主ロープ用ドラムに巻回させる方向と新主ロープ供給ドラム体から供給される新主ロープを前記新主ロープ用ドラムに巻回させる方向とが同一方向となるように、前記既設主ロープを前記既設主ロープ用ドラムに、かつ、前記新主ロープを前記新主ロープ用ドラムに、それぞれ巻回させてなるエレベーターの主ロープ交換用テンション付加装置において、前記既設主ロープ用ドラム及び前記新主ロープ用ドラムを制動させるための制動手段を設けている。
【０００７】
また、上記の目的を達成するために、本発明は、前記既設主ロープ用ドラム若しくは前記新主ロープ用ドラムの外周に位置して、前記既設主ロープ用ドラムに巻かれた既設主ロープを前記既設主ロープ用ドラム側に押し付けると共に、前記新主ロープ用ドラムに巻かれた新主ロープを前記新主ロープ用ドラム側に押し付ける押付手段を設けている。
【発明の効果】
【０００８】
上記本発明によれば、制動手段によって既設主ロープ用ドラム及び前記新主ロープ用ドラムを制動させることで、その既設主ロープ用ドラム及び前記新主ロープ用ドラムの回転を制動し、新主ロープが昇降路内に落下することを防止でき、既設主ロープを新主ロープに交換する作業を、安全に、かつ、円滑に行わせ、しかも、交換作業中に何らかの必要性が生じて、巻上機のシーブ２の回転を停止させた場合であっても、制動手段によって既設主ロープ用ドラム及び前記新主ロープ用ドラムを制動させることで、新主ロープを昇降路内に落下させることなく、その交換作業を確実に中断させられる使い勝手のよいエレベーターの主ロープ交換用テンション付加装置が得られる。
【０００９】
また、上記発明によれば、押付手段によって前記既設ロープ用ドラム及び前記主ロープ用ドラムを前記制動手段での制動を補助でき、前記既設主ロープ用ドラム及び前記新主ロープ用ドラムの制動を確実にすることができ、制動手段と同様な効果が得られる。
【発明を実施するための最良の形態】
【００１０】
以下、本発明に係るエレベーターの主ロープ交換用テンション付加装置の実施形態を、図面に基づいて説明する。
【００１１】
図１に示す一実施形態のエレベーターでは、２対１ローピング方式のエレベーターであって、機械室１に設置されている巻上機のシーブ２に巻回されてその一端４Ａ及び他端４Ｂの両端が機械室１の床に支持固定される複数本の既設主ロープ４と、この既設主ロープ４の一端４Ａと巻上機のシーブ２との間で既設主ロープ４に乗りかご用プーリ５を係合させて支持される乗りかご６と、既設主ロープ４の他端４Ｂと巻上機のシーブ２及びそらせ車８との間で既設主ロープ４にカウンタプーリ７を係合させて支持されるカウンタウェート９とを備えている。
【００１２】
図１に示す一実施形態のエレベーターにおける既設主ロープ４を、エレベーターを所有する顧客が所望する新しい主ロープ１０（以下、新主ロープ１０と称する）に交換する場合には、乗りかご６を吊り上げるための電動チェーンブロックなどからなる乗りかご吊り上げ手段１１と、テンション付加装置１２と、既設主ロープ４を回収するための既設主ロープ回収用巻き取り機１３と、新主ロープ１０を供給するための新主ロープ供給用巻き取り機などからなる新主ロープ供給ドラム体１４と、既設主ロープ４のうち、乗りかご用プーリ５とシーブ２との間に位置する部分を仮保持するための第１ロープ保持具１５と、既設主ロープ４のうち、カウンタウェート９と既設主ロープ４の他端４Ｂとの間に位置する部分を仮保持するための第２ロープ保持具１６と、既設主ロープ４のうち、そらせ車８とカウンタウェート９との間に位置する部分を仮保持するための第３ロープ保持具１７と、案内プーリ１８と、カウンタプーリ用ロープ外れ装置１９と、カウンタウェート用支持部材２０とを、少なくとも、用意する。乗りかご吊り上げ手段１１、第１ロープ保持具１５、第２ロープ保持具１６、第３ロープ保持具１７及び案内プーリ１８は、昇降路３内の建屋梁などの強度部材にワイヤーなどにより着脱可能に取り付けられる。
【００１３】
図１に示す一実施形態においては、昇降路３の最上階乗り場３Ａに、既設主ロープ回収用巻き取り機１３及び新主ロープ供給ドラム体１４を設置するようにしている。新主ロープ供給ドラム体１４には、交換に必要な長さ分の新主ロープ１０が予め巻回されている。テンション付加装置１２は、乗りかご６の上に設置するようにしている。テンション付加装置１２は、図２〜図４に示すように、鋼材からなる載置台２１と、この載置台２１上に垂設された一対の鋼材からなる支持部材２２、２３と、この一対の支持部材２２、２３に支持された回転軸２４に取り付けた複数個の既設主ロープ用ドラム２５、２５Ａ、２５Ｂと、この既設主ロープ用ドラム２５、２５Ａ、２５Ｂが取り付けられた回転軸２４に取り付けた複数個の新主ロープ用ドラム２６、２６Ａ、２６Ｂと、回転軸２４の回転を制動させることにより既設主ロープ用ドラム２５、２５Ａ、２５Ｂ及び新主ロープ用ドラム２６、２６Ａ、２６Ｂの回転を制動させる制動手段２７と、既設主ロープ用ドラム２５、２５Ａ、２５Ｂに巻かれた既設主ロープ４をその既設主ロープ用ドラム２５、２５Ａ、２５Ｂ側に押し付け、かつ、新主ロープ用ドラム２６、２６Ａ、２６Ｂ側に巻かれた新主ロープ１０をその新主ロープ用ドラム２６、２６Ａ、２６Ｂに押し付ける押付手段２８、２９、３０、３１と、支持部材２２に支持された送り保持手段３２（図３参照）と、載置台２１に支持された既設主ロープ４の逆走保持手段３３（図４参照）を、少なくとも備えている。
【００１４】
制動手段２７は、ワイヤーロープ２７Ａで連結されたレバー２７Ｂを備えており、そのレバー２７Ｂを操作することにより、既設主ロープ用ドラム２５、２５Ａ、２５Ｂ及び新主ロープ用ドラム２６、２６Ａ、２６Ｂを制動させるようにしてある。押付手段２８、２９、３０、３１は、押えローラー構造になっており、図２〜図４に示すように、既設主ロープ用ドラム２５、２５Ａ、２５Ｂ及び新主ロープ用ドラム２６、２６Ａ、２６Ｂの外周に、それぞれ配置されていて、既設主ロープ用ドラム２５、２５Ａ、２５Ｂに巻かれた既設主ロープ４を、既設主ロープ用ドラム２５、２５Ａ、２５Ｂ側に押し付けると共に、新主ロープ用ドラム２６、２６Ａ、２６Ｂに巻かれた新主ロープ１０を、新主ロープ用ドラム２６、２６Ａ、２６Ｂ側に押し付けるようにしている。押付手段２８、３１は、ジャッキボルト３４、３４Ａにより、上下動させることで、その押付手段２８、３１による既設主ロープ４及び新主ロープ１０への押付力を調整することができるようにしてある。
【００１５】
テンション付加装置１２では、既設主ロープ用回収用巻き取り機１３に回収される既設主ロープ４が既設主ロープ用ドラム２５、２５Ａ、２５Ｂに巻回する方向と、新主ロープ供給ドラム体１４から供給される新主ロープ１０が新主ロープ用ドラム２６、２６Ａ、２６Ｂに巻回する方向が、同一方向となるように、既設主ロープ４を既設主ロープ用ドラム２５、２５Ａ、２５Ｂに、かつ、新主ロープ１０を新主ロープ用ドラム２６、２６Ａ、２６Ｂに、それぞれ巻回させることで、テンション付加装置１２に新主ロープ供給ドラム体１４から供給される新主ロープ１０とテンション付加装置１２から既設主ロープ回収用巻き取り機１３に回収される既設主ロープ４とにテンションを掛けられるようにしている。すなわち、図３の矢印Ａのごとく最上階乗り場３Ａから移動してきた新主ロープ１０は、送り保持手段３２を介して新主ロープ用ドラム２６、２６Ａ、２６Ｂに、時計方向に沿って数回巻き付け後、矢印Ｂのごとく昇降路１内に引き出されるようにしてある。図４の矢印Ｃのごとく機械室１側から移動してきた既設主ロープ４は、既設主ロープ用ドラム２５、２５Ａ、２５Ｂに沿って、新主ロープ１０が新主ロープ用ドラム２６、２６Ａ、２６Ｂに巻回させる方向と同一方向となるように、数回巻き付け後、逆走保持手段３３を介して、矢印Ｄのごとく最上階乗り場３Ａに移動して既設主ロープ回収用巻き取り機１３に回収されるようにしてある。
【００１６】
複数本の既設主ロープ４の一端４Ａ及び他端４Ｂは、その一端４Ａ及び他端４Ｂに固定させた主ロープ止め金具３５と、この主ロープ止め金具３５に連結されたボルト部材３６と、このボルト部材３６に嵌合されたコイル状のバネ部材３７及びナット３８とを用いて、機械室１の床１Ａにそれぞれ取り付けられる。すなわち、機械室１の床１Ａに設けた穴１Ｂを利用して、昇降路３側から機械室１側に、ボルト部材３６を突出させた後、そのボルト部材３６をナット３８で床１Ａに締結することにより、既設主ロープ４の一端４Ａ及び他端４Ｂが機械室１の床１Ａに支持される（図５を参照）。
【００１７】
機械室１の床１Ａに取り付けられた既設主ロープ４の一端４Ａ及び他端４Ｂを、機械室１の床１Ａから取り外す際及び機械室１の床１Ａに取り付ける際に、用いられる主ロープ引き上げ用ワイヤー４０は、機械室１に保管されている。この主ロープ引き上げ用ワイヤー４０を、既設主ロープ４の一端４Ａ及び他端４Ｂに固定させた主ロープ止め金具３５に装着させたい場合には、図５に示すように、ボルト部材３６に螺合しているナット３８を、機械室１内側から緩めることで、既設主ロープ４の一端４Ａ及び他端４Ｂを機械室１内側に引き上げるための引き上げ代Ｈを確保する。そして、既設主ロープ４の一端４Ａ及び他端４Ｂを引き上げ代Ｈ分、引き上げた状態で、バネ部材３７と機械室１の床１Ａとの間に引き上げ保持部材３９を装着する。これにより、バネ部材３７の下方に位置するところのボルト部材３６が挿入している穴１Ｂから、主ロープ引き上げ用ワイヤー４０を、機械室１側から乗りかご６の上部まで送り出すことができるようになる。したがって、機械室１の床１Ａに設けた穴１Ｂから送り出されてきた主ロープ引き上げ用ワイヤー４０を、乗りかご６の上で、既設主ロープ４の一端４Ａ及び他端４Ｂに取り付けた保持リング４１に取り付けることにより、図５に示すように、既設主ロープ４の一端４Ａ及び他端４Ｂに固定させた主ロープ止め金具３５に装着することができる。
【００１８】
上述のように構成したテンション付加装置１２を用いたエレベーターの主ロープ交換方法は、次のような工程順で行われる。
【００１９】
まず、第１工程として、乗りかご６を、カウンタウェート９と略同じ高さ位置まで下降させて停止させた後、その乗りかご６上を作業足場にしてカウンタウェート９にカウンタプーリ用ロープ外れ装置１９を取り付ける。
【００２０】
次いで、第２工程として、乗りかご６を低速で上昇させて昇降路３の最上階乗り場３Ａの近傍に停止させる一方、昇降路３の内底面に設けた緩衝器４２よりも上方に位置するようにカウンタウェート用支持部材２０によってカウンタウェート９を、昇降路３の底部３Ｂに仮保持する。
【００２１】
次いで、第３工程として、カウンタウェート９と既設主ロープ４の他端４Ｂとの間に位置する既設主ロープ４の部分に第２ロープ保持具１６を、かつ、そらせ車８とカウンタウェート９との間に位置する既設主ロープ４の部分に第３ロープ保持具１７を、それぞれ、乗りかご６上を作業足場にして取り付けることで、既設主ロープ４の他端４Ｂ側を仮保持すると共に、昇降路３の頂部近傍に強度部材部分に取り付けた乗りかご吊り上げ手段１１によって乗りかご６を吊り上げることにより、既設主ロープ４のテンションを除去してその既設主ロープ４を弛ませた後、乗りかご用プーリ５とシーブ２との間に位置する既設主ロープ４の部分に第１ロープ保持具１５を、乗りかご６上を作業足場にして取り付けることで、既設主ロープ４の一端４Ａ側を仮保持する。
【００２２】
次いで、第４工程として、既設主ロープ４の一端４Ａ及び他端４Ｂの両端を機械室１の床から乗りかご６上に降ろす。すなわち、図５に示すように、ボルト部材３６に螺合しているナット３８を緩めてバネ部材３７と機械室１の床１Ａとの間に引き上げ保持部材３９を装着することにより、機械室１の床１Ａに設けた穴１Ｂから乗りかご６の上に主ロープ引き上げ用ワイヤー４０が送り出せる状態を確保した後、図６に示すように、主ロープ引き上げ用ワイヤー４０の一端を、乗りかご６上まで送り出す。その後、主ロープ引き上げ用ワイヤー４０の一端を、保持リング４１に連結して、ロープ引き上げ用ワイヤー４０を、図７に示すように、機械室１側に引っ張り上げることで、保持リング４１を主ロープ止め金具３５の下部に、図５のごとく係止させる。この状態で、ボルト部材３６からバネ部材３７及びナット３８を取り除き、主ロープ引き上げ用ワイヤー４０を機械室１の床１Ａに設けた穴１Ｂから昇降路１側に送り出すことにより、図８に示すように、既設主ロープ４の一端４Ａ及び他端４Ｂの両端を、ボルト部材３６及び主ロープ止め金具３５と一緒に乗りかご６上に降ろす。その後、乗りかご用プーリ５から機械室１の床までの距離及び第２ロープ保持具１６から機械室１の床までの距離を測定する。
【００２３】
次いで、第５工程として、乗りかご用プーリ５と既設主ロープ４の一端４Ａとの間及び第２ロープ保持具１６と既設主ロープ４の他端４Ｂとの間で、それぞれ既設主ロープ４を切断する。
【００２４】
次いで、第６工程として、乗りかご６上に設置したテンション付加装置１２の既設主ロープ用ドラム２５、２５Ａ、２５Ｂに、既設主ロープ４の一端４Ａを、２回半程度、時計方向に巻回させた（図２及び図４参照）後、その既設主ロープ４の一端４Ａを、押付手段３０と既設主ロープ用ドラム２５、２５Ａ、２５Ｂとの間及び逆走保持手段２９を介してから既設主ロープ回収用巻き取り機１３に接続すると共に、新主ロープ供給ドラム体１４から引き出された新ロープ１０を送り保持手段３２を介してから、その新ロープ１０をテンション付加装置１２の新主ロープ用ドラム２６、２６Ａ、２６Ｂに２回半程度、時計方向に巻回させた（図２及び図３参照）後、さらに、押付手段２８と新主ロープ用ドラム２６、２６Ａ、２６Ｂとの間から引き出して、その新主ロープ１０の端部と案内プーリ１８に掛着させてなる既設主ロープ４の他端４Ｂの切断部とを接続することによって、接続部４３を作る（図１参照）と共に、制動手段２７の動作を開始させて既設主ロープ用ドラム及び前記新主ロープ用ドラムが回転しないように制動させる。
【００２５】
次いで、第７工程として、第１ロープ保持具１５と第２ロープ保持具１６と第３ロープ保持具１７を、既設主ロープ４から取り外して、テンション付加装置１２の新主ロープ用ドラム２６、２６Ａ、２６Ｂに巻回してから送り出される新主ロープ１０とテンション付加装置１２の既設主ロープ用ドラム２５、２５Ａ、２５Ｂに巻回してから引き出される既設主ロープ４とに負荷が掛かるようにすることにより、既設主ロープ４及び新主ロープ１０の全体にテンションが掛けられた状態とした後、制動手段２７の動作を停止すると共に、乗りかご６を下降させることでシーブ２を回転させ、しかも、既設主ロープ回収用巻き取り機１３を作動させることで既設主ロープ４を既設主ロープ回収用巻き取り機１３に巻き取ることにより、新主ロープ１０と既設主ロープ４の他端４Ｂとの接続部４３が引っ張られて移動する。そして、新主ロープ１０と既設主ロープ４の他端４Ｂとの接続部４３が、案内プーリ１８―カウンタプーリ７―そらせ車８―巻上機のシーブ２の順で移動して、乗りかご６上のテンション付加装置１２に接近したならば、乗りかご６を停止させる。
【００２６】
次いで、第８工程として、新主ロープ１０の接続部４３とシーブ２との間に位置する新主ロープ１０の部分に第１ロープ保持具１５を、カウンタウェート９と案内プーリ１８との間に位置する新主ロープ１０の部分に第２ロープ保持具１６を、そらせ車８とカウンタウェート９との間に位置する新主ロープ１０の部分に第３ロープ保持具１７を、それぞれ、乗りかご６上を作業足場にして、再び、取り付けることで、新主ロープ１０を仮保持した後、上記第４工程で測定してある乗りかご用プーリ５から機械室１の床までの距離と第２ロープ保持具１６から機械室１の床までの距離とに合せて、新主ロープ１０の両端を切断し、その後、新主ロープ１０の一端を、乗りかご用プーリ５に掛着させてから機械室１の床に支持固定すると共に、主ロープ１０の他端を、案内プーリ１８より離してから機械室１の床に支持固定する。尚、主ロープ１０の両端の支持固定は、その主ロープ１０の両端にボルト部材３６及び主ロープ止め金具３５を取り付けた後、その主ロープ止め金具３５に係止させた保持リング４１を主ロープ引き上げ用ワイヤー４０で引き上げることで、ボルト部材３６を機械室１の床１Ａに設けた穴１Ｂから機械室１内側に突出させ、その突出部にバネ部材３７及びナット３８に取り付け、その後、主ロープ引き上げ用ワイヤー４０、保持リング４１及び引き上げ保持部材３９を取り除いた状態で、ナット３８を締結することにより、行われる。
【００２７】
最後に、第９工程として、第１ロープ保持具１５、第２ロープ保持具１６及ぶ第３ロープ保持具１７による新主ロープ１０の仮保持を解除した後、第１ロープ保持具１５、第２ロープ保持具１６、第３ロープ保持具１７及び案内プーリ１８を昇降路３内の建屋梁などの強度部材から取り外して片付けると共に、テンション付加装置１２を乗りかご６上から取り外して片付け、かつ、既設主ロープ回収用巻き取り機１３及び新主ロープ供給ドラム体１４を最上階乗り場３Ａから片付ければよい。
【００２８】
上記エレベーターの主ロープ交換方法において、既設主ロープ４から取り外して、第１ロープ保持具１５、第２ロープ保持具１６及び第３ロープ保持具１７を既設主ロープ４から取り外して、既設主ロープ４及び新主ロープ１０の全体にテンションが掛けられた状態とした際に、既設主ロープ４と新主ロープ１０との間でテンションのバランスが異なっていても、制動手段２７によりテンション付加装置１２の回転軸２４の回転を制動させた状態を開放させた後に、シーブ２を回転させて、新主ロープ１０を新主ロープ用ドラム２６、２６Ａ、２６Ｂから引き出すようにすることにより、その新主ロープ１０を、昇降路内に落下させることなく、案内プーリ１８―カウンタプーリ７―そらせ車８―巻上機のシーブ２の順で、円滑に移動させることができる。
【００２９】
上記エレベーターの主ロープ交換方法において、既設主ロープ４は、テンション付加装置１２の既設主ロープ用ドラム２５、２５Ａ、２５Ｂを２回半程度、時計方向に巻回した後、既設主ロープ用ドラム２５、２５Ａ、２５Ｂから昇降路３の最上階乗り場３Ａに向って引き出されると共に、新主ロープ供給ドラム体１４に巻かれた新ロープ１０は、テンション付加装置１２の新主ロープ用ドラム２６、２６Ａ、２６Ｂを２回半程度、時計方向に巻回した後、既設主ロープ４に引っ張られて新主ロープ用ドラム２６、２６Ａ、２６Ｂから引き出されている際、何らかの理由によって、主ロープ交換作業を一時的に中止させるために、シーブ２の回転を停止させても、制動手段２７を操作してテンション付加装置１２の回転軸２４の回転を制動させることより、既設主ロープ用ドラム２５、２５Ａ、２５Ｂ及び新主ロープ用ドラム２６、２６Ａ、２６Ｂが回転しないようになるので、新ロープ１０がそれ自身の重量で昇降路内に落下してしまうようなことがない。
【００３０】
上記実施形態のテンション付加装置１２では、押付手段２８、２９、３０、３１により、既設主ロープ用ドラム２５、２５Ａ、２５Ｂと既設主ロープ４との間及び新主ロープ用ドラム２６、２６Ａ、２６Ｂと新ロープ１０との間に摩擦力が生じているので、送り保持手段３２による新ロープ１０を把持する力を小さく設定できるため、送り保持手段３２で新ロープ１０を把持することによる新ロープ１０の損傷を防止できる。また、押付手段２８、３１は、ジャッキボルト３４、３４Ａにより、上下動させることで、既設主ロープ用ドラム２５、２５Ａ、２５Ｂと既設主ロープ４との間及び新主ロープ用ドラム２６、２６Ａ、２６Ｂと新ロープ１０との間に摩擦力を、交換する新ロープ１０の自重に応じて最適な状態に調整することができる。
【００３１】
上述のエレベーターの主ロープ交換方法では、複数個の既設主ロープ４のすべてにつき、上記第３工程から第８工程の作業を、順次繰り返して行うようにしているが、これに限定されない。乗りかご６上や昇降路３の状況に応じて、上記第４工程から第５工程の作業を、複数個の既設主ロープ４のすべてにつき、繰り返して行った後、上記第６工程から第８工程の作業を、複数個の既設主ロープ４のすべてにつき、繰り返して行うようにしてもよい。
【００３２】
上記実施形態では、テンション付加装置１２は、乗りかご６の上に設置されているが、これに限定されない。昇降路３の最上階乗り場３Ａに、テンション付加装置１２を設置するようにしてもよい。また、既設主ロープ回収用巻き取り機１３及び新主ロープ供給ドラム体１４を昇降路３の最上階乗り場３Ａに設置するようにしているが、乗りかご６の上に設置するようにすることも可能である。
【００３３】
上記実施形態では、制動手段２７は、回転軸２４に、直接、制動力を掛ける方式としているが、これに限定されない。ディスクブレーキによる制動方式あるいはギアを用いたギア制動方式としてもよい。
【図面の簡単な説明】
【００３４】
【図１】本発明の一実施形態に係わるエレベーターの主ロープ交換方法を説明するための概略説明図である。
【図２】本発明の一実施形態を示し、主ロープ交換用テンション付加装置の正面概略図である。
【図３】本発明の一実施形態を示し、主ロープ交換用テンション付加装置の新主ロープ用ドラム側の動作説明図である。
【図４】本発明の一実施形態を示し、主ロープ交換用テンション付加装置の既設主ロープ用ドラム側の動作説明図である。
【図５】本発明の一実施形態を示し、既設主ロープ端部を機械室の床に支持するボルト部材及び主ロープ止め金具部分の拡大正面図である。
【図６】本発明の一実施形態に係わるエレベーターの既設主ロープ端部を機械室の床から取り外すために、主ロープ引き上げ用ワイヤーを乗りかご上に送り出した状態を示す概略説明図である。
【図７】本発明の一実施形態に係わるエレベーターの既設主ロープ端部を機械室の床から取り外すために、保持リングを主ロープ引き上げ用ワイヤーで持ち上げた状態を示す概略説明図である。
【図８】本発明の一実施形態に係わるエレベーターの既設主ロープ端部を機械室の床から取り外してその既設主ロープ端部をボルト部材及び主ロープ止め金具と一緒に乗りかご上に降ろした状態を示す概略説明図である。
【符号の説明】
【００３５】
１    機械室
１Ａ  床
１Ｂ  穴
２    巻上機のシーブ
３    昇降路
３Ａ  最上階乗り場
３Ｂ  昇降路の底部
４    既設主ロープ
４Ａ  既設主ロープの一端
４Ｂ  既設主ロープの他端
５    乗りかご用プーリ
６    乗りかご
７    カウンタプーリ
８    そらせ車
９    カウンタウェート
１０  新主ロープ
１１  乗りかご吊り上げ手段
１２  テンション付加装置
１３  既設主ロープ用回収用巻き取り機
１４  新主ロープ供給用巻き取り機
１５  第１ロープ保持具
１６  第２ロープ保持具
１７  第３ロープ保持具
１８  案内プーリ
１９  カウンタプーリ用ロープ外れ装置
２０  カウンタウェート用支持部材
２１  載置台
２２、２３  支持部材
２４  回転軸
２５、２５Ａ、２５Ｂ  既設主ロープ用ドラム
２６、２６Ａ、２６Ｂ  新主ロープ用ドラム
２７  制動手段
２８、２９、３０、３１  押付手段
３２  送り保持手段
３３  逆走保持手段
３４、３４Ａ  ジャッキボルト
３５  主ロープ止め金具
３６  ボルト部材
３７  バネ部材
３８  ナット
３９  引き上げ保持部材
４０  主ロープ引き上げ用ワイヤー
４１  保持リング
４２  緩衝器
４３  接続部
【図１】
2005263476.tif 000003
【図２】
2005263476.tif 000004
【図３】
2005263476.tif 000005
【図４】
2005263476.tif 000006
【図５】
2005263476.tif 000007
【図６】
2005263476.tif 000008
【図７】
2005263476.tif 000009
【図８】
2005263476.tif 000010